(57)【要約】【課題】指挟みを防止することのできる安全機構付引き手を提供すること。【解決手段】引戸の一端に設けられた凹部に取付けられるとともに引手部材の一部を引戸面より突出させるための少なくとも２本の円弧状溝からなるガイド溝を有したケーシングと、該ケーシングの引戸面に対して出没自在に配設される引手部材と、該引手部材を前記ケーシングの引戸面から没入する方向へ付勢するバネ部材とを備え、前記引手部材に手をかけて引戸を移動させた際、前記バネ部材の付勢力に抗して引手部材が引戸面から突出するので、引き戸を閉める際に引手部材が当接して操作する者が指を挟むのを阻止することができる。【選択図】  図１
2004150153.tif 000002
【特許請求の範囲】
【請求項１】
引戸の一端に設けられた凹部に取付けられるとともに引手部材の一部を引戸面より突出させるための少なくとも２本の円弧状溝からなるガイド溝を有したケーシングと、
該ケーシングの引戸面に対して出没自在に配設される引手部材と、
該引手部材を前記ケーシングの引戸面から没入する方向へ付勢するバネ部材とを備え、
前記引手部材に手をかけて引戸を移動させた際、前記バネ部材の付勢力に抗して引手部材が引戸面から突出することを特徴とする安全機構付引き手。
【請求項２】
前記引手部材は、前記ケーシングに設けた保持部材によって引戸面から突出した状態を維持することを特徴とする請求項１に記載の安全機構付引き手。
【請求項３】
前記保持部材は、バネ手段であることを特徴とする請求項１または２に記載の安全機構付引き手。
【発明の詳細な説明】
【０００１】
【発明の属する技術分野】
本発明は、引き戸等の手を掛ける部分に使用される安全機構付引き手に関するものである。
【０００２】
【従来の技術】
図８は、従来の引き戸用引き手の一例を示す斜視図である。ここで、安全機構付引き手１は、引違い移動時に重なり合う引戸２、３の内の引戸２に取付けられている。円内は、安全機構付引き手１を拡大して示す斜視図である。この従来例では、指詰めを防止するためのプロテクタ４が常に突出している（特許文献１参照）。また、図９に示すバータイプのものでは、バー５が常に引戸６の側面から突出して取付けられている。更に、図１０に示す堀込み式の場合には、引戸７の一側端に切り込んだ取手８が形成されている。また、堀込み式の変形例として、図１１に示すように手を掛ける部分を引戸１０の側面より一段低く形成して引手９とし、指を挟まれ難くしたものが提案されている。
【０００３】
【特許文献１】
特開平１０−１３１５５３号公報
【０００４】
【発明が解決しようとする課題】
しかし、上記した構成の従来の安全機構付引き手において、図８に示す例のものでは、手指を挟むのを防止するためのプロテクタが常に突出しているので、引戸を完全に収納、或いは重ね合わせることができず、見栄えも悪かった。引戸を開いた際の開口部も狭いという欠点が存在した。
また、図９に示すバータイプの引き手にあっても、バー５が常に引戸６の側面から突出して取付けられているので、引戸を完全に収納、或いは重ね合わせることができなかった。
更に、図１０、１１に示す形式のもにあっては、図１２に示す様に引戸１０は、フラットになり完全に収納することができるが、指を挟まれるおそれがあると共に、閉め難いと云う欠点が存在した。
【０００５】
本発明は、上記実情に鑑み提案されたもので、閉成する際に引手部材が突出して指挟みを防止すると共に、引手部材を後退させて引き戸がフラット状態になるまで引き込むことのできる安全機構付引き手を提供することを目的とする。
【０００６】
【課題を解決するための手段】
上記目的を達成するために、請求項１に記載の発明は、引戸の一端に設けられた凹部に取付けられるとともに引手部材の一部を引戸面より突出させるための少なくとも２本の円弧状溝からなるガイド溝を有したケーシングと、該ケーシングの引戸面に対して出没自在に配設される引手部材と、該引手部材を前記ケーシングの引戸面から没入する方向へ付勢するバネ部材とを備え、前記引手部材に手をかけて引戸を移動させた際、前記バネ部材の付勢力に抗して引手部材が引戸面から突出することを特徴としている。
【０００７】
また、請求項２に記載の発明において、前記引手部材は、前記ケーシングに設けた保持部材によって引戸面から突出した状態を維持することを特徴とするものである。
【０００８】
また、請求項３に記載の発明において、前記保持部材は、バネ手段であることを特徴とするものである。
【０００９】
【発明の実施の形態】
以下、一実施の形態を示す図面に基づいて本発明を詳細に説明する。ここで、図１は、本発明に係る安全機構付引き手の一例を示す正面図、図２は本発明の安全機構付引き手の使用状態を示す正面図、図３は本発明の安全機構付引き手の引手部材が後退した状態を示す横断面図である。安全機構付引き手２０は、引戸２１の一端に設けられた凹部２２に取付けられるケーシング２３と、このケーシグ２３の引戸面２３ａに対して出没自在に配設される引手部材２４と、該引手部材２４を前記ケーシング２３の引戸面から没入する方向へ付勢するバネ部材２５とを備えている。
【００１０】
ケーシング２３は、周囲にフランジ部２３ｂを有しており、引戸２１の凹部に固定するためのビス穴２３ｃを有している。このビス穴２３ｃは、フランジ部２３ｂに形成されている。また、ケーシング２３は、引手部材２４を収納する凹部２３ｄを有している。凹部２３ｄの対向する一対の面には、円弧状の長穴であるガイド溝２６が形成されている。ガイド溝２６は、少なくとも２本の長穴２６ａ、２６ｂから構成されている。ガイド溝２６は、引手部材２４を短いストロークで所望の角度で突出させると共に、効果的に後退させることができる。また、ケーシング２３の凹部２３ｄには、バネ部材２５の一端を係止するためのフック２７が形成されている。更に、ガイド溝２６の長穴２６ａ、２６ｂは、仮想円中心をケーシング外側とする大きな同心の円弧状溝としている。つまり、仮想円中心と操作部２４ｂとの距離をおくことで、引手部材２４の移動をスムーズなものとしている。また、ケーシング奥側の長穴２６ａは、長穴２６ｂよりも長い全長とすることで、引手部材２４の回転角度を稼いでいる。これにより引手部材２４の引戸移動方向への移動量に対して引戸面からの突出量を大きくすることが可能となっている。
【００１１】
引手部材２４は、ケーシング２３の凹部２３ｄに収納可能な縦寸法及び厚さを有している。引手部材２４は、平坦な正面部２４ａと正面部２４ａとほぼ直角に配設された指を掛ける操作部２４ｂとが曲線的に接続している。また、引手部材２４は、長手方向に貫くピン穴２８、２９が形成されており、このピン穴２８、２９に支持ピン３０、３１が挿通される。更に、この支持ピン３０、３１の両端は、ケーシング２３に形成されたガイド溝２６である長穴２６ａ、２６ｂに遊嵌される。
【００１２】
また、引手部材２４の突出する端面３２には、クッション部材３３が貼着されている。このクッション部材３３は、突出した引手部材２４が、対向する引戸と衝突する際の衝撃を緩和することができる。更に、引手部材２４の上下端面には、円弧状の浅溝３４が形成されている。図６は、本発明の安全機構付引き手における浅溝３４の拡大断面図である。ここで、この浅溝３４の一部に深さの更に浅くなった括れ部３４ａが形成されており、この括れ部３４ａで対抗配設された板バネ３５の半球形突部３５ａがクリックストップする。尚、浅溝３４は、引手部材２４の上下端面に設けてもよく、また上下のいずれか一方に設けてもよい。
【００１３】
図７は、本発明の安全機構付引き手の板バネを示す要部斜視図である。ここで、板バネ３５は、ケーシング２３の上端に形成された取付け凹部３６に半球形突部３５ａを下向きにして装着されており、止着ワッシャ３７によって固定されている。半球形突部３５ａは、貫通孔からケーシング２３の内側に突出しており、引手部材２４に形成された浅溝３４に当接している。
【００１４】
次に、以上のように構成された安全機構付引き手２０の使用方法について図３〜図５に基づいて説明する。先ず、引手部材２４がケーシング２３の凹部２３ｄに収納された状態で引戸を開ける為に、引手部材２４に指先をかけると、引手部材２４がガイド溝２６に沿って矢印Ａ方向に突出する。図４は、引手部材２４が完全に突出した状態を示し、図６に示すように板バネ３５の半球形突部３５ａが括れ部３４ａを乗り越えて突出状態を維持する。この状態で、矢印Ｂ方向から対抗する引戸が近づいて来ても、引手部材２４のクッション部材３３に当接して、指が挟まれることがない。また、クッション部材３３の存在により、対向する引戸の端面が破損する虞もない。
【００１５】
引戸を更に完全に開成させるためには、突出した引手部材２４が邪魔になるので、図５に示すように引手部材２４を矢印Ｃ方向へ押し込む。すると、板バネ３５の半球形突部３５ａが括れ部３４ａを乗り越えて、引手部材２４がケーシング２３の凹部２３ｄに完全に収納される。この状態で、引戸は完全に開成することができる。
【００１６】
【発明の効果】
この発明は上記した構成からなるので、以下に説明するような効果を奏することができる。
【００１７】
請求項１に記載の発明では、引戸の一端に設けられた凹部に取付けられるとともに引手部材の一部を引戸面より突出させるための少なくとも２本の円弧状溝からなるガイド溝を有したケーシングと、該ケーシングの引戸面に対して出没自在に配設される引手部材と、該引手部材を前記ケーシングの引戸面から没入する方向へ付勢するバネ部材とを備え、前記引手部材に手をかけて引戸を移動させた際、前記バネ部材の付勢力に抗して引手部材が引戸面から突出することを特徴とするものである。
【００１８】
このように構成したことによって、本発明の安全機構付引き手は、引き戸を閉成する際に引手部材に手をかけると、引戸面から引手部材が突出し、この引手部材が引き違い戸或いは戸袋の端面に当接し手指が挟まれることを防止できる。また、引戸を完全に収納する場合には、引手部材を引戸面から没入させればよい。したがって、引戸の端面がフラットになり、大きく開成することができる。更に、引手部材の少ない移動量で効果的に引戸面から突出させることができると共に、引手部材に手指を掛けただけで、無理なく突出させることができる。また、引手部材を所望の軌跡に沿って突出、後退させることができる。
【００１９】
また、請求項２に記載の発明において、前記引手部材は、前記ケーシングに設けた保持部材によって引戸面から突出した状態を維持するので、手指を離しても引手部材が後退してしまわず、引戸のストッパとしての機能を果たすことができる。
【００２０】
また、請求項３に記載の発明において、前記保持部材は、バネ手段であるので、引手部材に手指を掛けるのみで引戸面から突出し、その状態を維持することができる。
【図面の簡単な説明】
【図１】図１は、本発明に係る安全機構付引き手の一例を示す正面図である。
【図２】図２は、同安全機構付引き手の使用状態を示す正面図である。
【図３】図３は、同安全機構付引き手の引手部材が後退した状態を示す横断面図である。
【図４】図４は、同安全機構付引き手の引手部材が突出した状態を示す横断面図である。
【図５】図５は、同安全機構付引き手の引手部材が突出した状態を示す平面図である。
【図６】図６は、同安全機構付引き手における浅溝の拡大断面図である。
【図７】図７は、同安全機構付引き手の板バネを示す要部斜視図である。
【図８】図８は、従来の引き戸用引き手の一例を示す斜視図である。
【図９】図９は、従来の引き戸用引き手の別の例を示す説明図である。
【図１０】図１０は、従来の引き戸用引き手の他の例を示す説明図である。
【図１１】図１１は、従来の引き戸用引き手の更に別の例を示す説明図である。
【図１２】図１２は、従来の引き戸用引き手の閉成状態を示す説明図である。
【符号の説明】
２０      安全機構付引き手
２１      引戸
２２      凹部
２３      ケーシング
２３ａ    引戸面
２３ｂ    フランジ部
２３ｃ    ビス穴
２３ｄ    凹部
２４      引手部材
２４ａ    正面部
２４ｂ    操作部
２５      バネ部材
２６      ガイド溝
２７      フック
２８、２９  ピン穴
３０、３１  支持ピン
３２      端面
３３      クッション部材
３４      浅溝
３５      板バネ
３５ａ    半球形突部
３６      取付け凹部
【図１】
2004150153.tif 000003
【図２】
2004150153.tif 000004
【図３】
2004150153.tif 000005
【図４】
2004150153.tif 000006
【図５】
2004150153.tif 000007
【図６】
2004150153.tif 000008
【図７】
2004150153.tif 000009
【図８】
2004150153.tif 000010
【図９】
2004150153.tif 000011
【図１０】
2004150153.tif 000012
【図１１】
2004150153.tif 000013
【図１２】
2004150153.tif 000014